(57)【特許請求の範囲】
【請求項１】
前面を開口させた函状の本体ケースと、上下に２分割されて少なくとも前記本体ケースの開口面を覆うカバーとからなり、前記上カバーを本体ケースに固着すると共に、前記下カバーを、前記上カバー側の端部を軸として本体ケースに蝶着し前記開口を開閉可能とした筐体であって、
前記下カバーの上端に、下カバーの閉状態で上カバーの裏面に重なる重合部を、前記下カバーの表面より一段低くして前記上カバーと平行に延設し、その重合部の全長に亘って、前記閉状態で上カバーの裏面に密着し、前記上端と平行な少なくとも２本の突条を並設したことを特徴とする電子機器収納用筐体。
【請求項２】
前記本体ケースが、その裏板を周囲の側板より外方へ夫々均一幅で突出させた延設部を有し、更に前記下カバーが、下カバーの閉状態で夫々の端縁が前記延設部へ密着する左右の側壁を連設したものである請求項１に記載の電子機器収納用筐体。
【請求項３】
前記上カバーが、夫々の端縁が前記本体ケースの延設部へ密着する側板を、前記下カバー側以外の３方に備えたものである請求項２に記載の電子機器収納用筐体。
【請求項４】
前記突条を２本として両突条相互の間隔を、下カバーの上端とそれに近い側の突条との間隔より広く設定したものである請求項１乃至請求項３の何れかに記載の電子機器収納用筐体。
【発明の詳細な説明】
【０００１】
【産業上の利用分野】
本発明は、屋外の支柱や壁面に取り付けられるブースター等の電子機器収納用の筐体に関するものである。
【０００２】
【従来の技術】
前記従来の電子機器収納用筐体（以下筐体という）は、その裏板が支柱或は壁面へ取り付けられ、前面を開口させた函状の本体ケースと、上下に２分割されて前記本体ケースの開口を覆うカバーとから構成されており、取り付け後のメンテナンスや修理の場合を考慮して、上カバーは本体ケースに固着されても、下カバーは上カバー側の端部を回動軸として本体ケースに蝶着され、前記開口を任意に開閉可能となっている。又この筐体は屋外へ取り付けられるものであるから、内部へ雨水が侵入しないよう上カバーは本体ケースへ密着状態で組み付けられ、下カバーは、その閉状態で上カバー及び本体ケース夫々に密着するようになっている。
【０００３】
【発明が解決しようとする課題】
上記上カバーと本体ケース間はまだしも、開閉作動させる下カバーと他の構成部品との密閉性はそう高くなく、雨量が多くなったりすると本体ケースとの間や上カバーとの間からの雨水の侵入の虞れが高くなる。又降雨後に下カバーが濡れた状態で開閉を行うと、下カバーに付着した水滴が端縁を伝わって内部に侵入することもある。そこで上下のカバー間や本体ケースとの間にパッキン材を介在させることが行われているが、他の部材を設けるコストや、その寿命による防水性低下の問題もあり、必ずしも最善の対策とはなっていない。
【０００４】
【課題を解決するための手段】
そこで本発明は、パッキン材等の他の部材を用いることなく、信頼性の高い防水性を有する電子機器収納用筐体を提供するもので、その構成は、下カバーの上端縁に、下カバーの閉状態で上カバーの裏面に重なる重合部を、前記下カバーの表面より一段低くして前記上カバーと平行に延設し、その重合部の全長に亘って、前記閉状態で上カバーの裏面に密着し、前記上端縁と平行な少なくとも２本の突条を並設したことを特徴とするものである。
又この発明に加えて、前記本体ケースの裏板を、その周囲の側板より外方へ夫々均一幅で突出させて延設部とし、下カバーに、下カバーの閉状態で夫々の端縁が前記延設部へ密着する左右の側壁を連設したり、又この延設部を設けた本体ケースに、夫々の端縁が前記延設部へ密着する側板を３方に備えた上カバーを装着したりするものである。
更に、突条においてはこれを２本として両突条間の間隔を、下カバーの上端縁とそれに近い側の突条との間隔より広く設定することもできる。
【０００５】
【作用】
下カバーを閉じると、重合部が上カバーの裏面へ重なり、突条が夫々上カバーの裏面へ密着するから、雨水がこれらの複数の段部を乗り越えて内部へ侵入することはなく、完璧な防水が保たれる。又、前記重合部を下カバー表面より一段低く設けているため、上下のカバーの高さが等しくなる。
又本体ケースへ延設部を、下カバーにその延設部に端縁が密着する側壁を設けることで、下カバーの閉状態では雨水が延設部や側壁端部にガイドされて下方へ落下し、側壁と本体ケース間へ侵入することがなくなる。この場合下カバーの側壁へも前記重合部と突条は延設されているから、下カバーの表面が濡れた状態で開いても、水滴は突条をつたって側壁端部へ導かれて落下し、内部への侵入は阻止される。
又本体ケースへ延設部を設けた場合、上カバーにおいてもその上側と左右夫々の３方に、延設部へ密着する側板を設ければ、上下カバー全てにおいて確実に防水される。
又突条は２本で、最初の１本を越えて雨水が侵入しても次の突条で確実に侵入を防止でき、必要最低限の数である。この場合突条間が広いと、雨水を溜めることができ、より効果的となる。
【０００６】
【実施例】
以下本発明の実施例を図面に基いて説明する。
図１は、アルミダイキャスト製で一体の成形品である本体ケース２０と、合成樹脂製の上カバー３０、下カバー４０とからなるブースターの筐体１の説明図で、本体ケース２０には、回路基板２と、その上面にシールド板３を固着し、接栓４，４・・を組み付けた回路ユニット５とが夫々収納されてビス止めされており、支柱や壁面への取り付け部となる裏板には、各上下の側面２１、左右の側面２２より夫々水平に突出した延設部２３を連続に形成している。又上カバー３０は、その裏面に壁面取付用で断面Ｌ字状の引掛片３１を有し、本体ケース２０の上方に被せて装着される箱状に形成されており、左右の側板３２内面の端部下側には、前記本体ケース２０の延設部２３の左右に設けた一対の切欠き２４に対応する抜け止め片３３が突設されている。
一方下カバー４０は、正面板４０ａの左右に連設した側壁４２を有する断面コ字状で、正面板４０ａの下端には、本体ケース２０下端のネジ止め部２５に螺合される止めネジ４３が設けられており、止めネジ４３の左右に突設した係止片４３ａと、本体ケース２０の側面２１に設けた係止凹部２１ａとの係脱作用と共に、下カバー４０を本体ケース２０に固着可能となっている。又両側壁４２内面の折曲部側で上端縁近傍には、図２，３の如く第１ピン４４と、第１ピン４４を中心とする円弧状の長円を突条で形成した案内レール４５が左右対称に形成されている。第１ピン４４は、下カバー４０を本体ケース２０に装着した状態で本体ケース側面２２端部に設けたピン受部２６に支持されて下カバー４０の回転軸となり、案内レール４５内には、前記本体ケース２０側のピン受部２６近傍に突設された第２ピン２７が夫々嵌合している。尚４６は案内レール４５内に突設したストッパーで、下カバー４０の全開放状態で第２ピン２７がストッパー４６を乗り越えて案内レール４５の端部に位置し、その状態で下カバー４０をロックするものである。
【０００７】
そして下カバー４０上端には、下カバー４０を閉じた状態で上カバー３０の裏面に重なる重合部４１が下カバー４０の表面より一段低くして延設され、その重合部４１には、正面板４０ａの水平高さより上カバー３０の上板３０ａの厚み分低く設定した２つの突条４７，４８が設けられている。この突条４７，４８は、両突条間の幅Ｈ1 を下側の突条４７と上端縁４０ｂとの幅Ｈ2 より広くして上端縁４０ｂと平行に設けられ（本実施例ではＨ2 は２．５mm、Ｈ1 は４．５mm）そのまま同間隔で両側壁４２の終端部付近まで夫々延設される一方、上端縁４０ｂは、両側壁４２側へ折曲した時点で下側の突条４７との幅Ｈ2 を閉塞し、そのまま下側の突条４７へ当接している。又両側壁４２の先端部は、図３のように全長に亘って内面側の肉厚を均一幅で薄くした薄肉部４９を有し、下カバー４０を閉じた状態では、段状の薄肉部４９が本体ケースの左右の延設部２３端部に合致して、側壁４２と本体ケース２０の側面２２との間に若干の隙間Ｗ（本実施例では２．５mm）を保つものとなっている。
【０００８】
以上の如く構成された筐体は、本体ケース２０の上方から上カバー３０を被せると、左右の抜け止め片３３が本体ケース２０の延設部２３に設けた左右の切欠き２４内に夫々係止し、上カバー３０の装着と共にその抜け止めがなされる。次に下カバー４０は、その両側壁４２を若干広げるようにして側板内側の左右の第１ピン４４を、本体ケース２０の左右のピン受部２６に合致させ、同時に案内レール４５内に本体ケースの第２ピン２７を夫々嵌合させると、下カバー４０は第１ピン４４を回転軸として開閉可能となり、その作動は案内レール４５内に嵌合する第２ピン２７のガイドと共に行われる。このとき第１ピン４４を中心とする下カバー４０の回転により、重合部４１も回転して本体ケースの側面２２に干渉するが、側面２２にはその回転部分の切除部２８が設けられているから、下カバー４０の回転の妨げにならない。
【０００９】
そして上記筐体は、図２の右側を上にして支柱や軒下の壁面等へ取り付けられるが、下カバー４０を閉じた状態では、図２の如く重合部４１は上カバー３０の裏面に重なると共に、突条４７，４８は上カバーの上板３０ａの裏面に当接して密着し、下側の突条４７と上端縁４０ｂとの幅Ｈ2 を露出させるのみとなるから、雨水が上下のカバー間へ残ることは少なく、たとえ上記幅Ｈ2 内へ侵入しても最初の突条４７と上板３０ａとの密着によりそれ以上の侵入を阻止される。又突条間の幅Ｈ1 を幅Ｈ2 より広くしているから、万一最初の突条４７を越えて雨水が侵入しても、幅Ｈ1 と突条４８とによって筐体１内部への侵入は完全に阻止でき、上カバー３０との密閉性は維持できる。更にこの両突条４７，４８は下カバー４０の側壁４２まで連続しているから、下カバー４０を開放させた際でも雨水は突条４７，４８をつたって両側壁４２の端部から落下させることができ、下カバー４０の開閉作動に伴う防水も期待できる。尚本実施例では重合部４１を下カバー４０より一段低く設定したことで、下カバー４０を閉じた状態では上カバー３０との高さが等しくなる。
又上カバー３０と本体ケース２０間の防水については、本実施例では函状であることから防水効果は高く、延設部２３と合わせて本体ケース２０側への侵入を完璧に防止できる。更に下カバー４０と本体ケース２０間の防水についても、前記図３に示したように、両側壁４２の薄肉部４９と、本体ケース２０の左右の延設部２３とによりシールされているから、雨水はそのシール部分より内部へ侵入することなく、延設部２３や薄肉部４９をつたってそのまま下方へ落下する。
よって本実施例によれば、特に高い防水機能が必要となる上下のカバー間での防水は勿論、本体ケースにおける上カバーと下カバーとの間においても信頼性の高い防水を行うことができる。
【００１０】
尚上記両突条の数や幅の設定は上記実施例に限定するものではなく、幅を狭くして突条の数を３本以上としたり、幅を突条間の幅より広くしても差し支えない。
又下カバー４０の側壁４２と本体ケース２０の延設部２３とは、両者が密着していればその防水効果は維持できるから、薄肉部４９を形成せずに側壁４２の端縁が延設部２３に単に密着しているのみでも良く、更に下カバー４０に他のヒンジ構造を採用することにより、本体ケースの側面２２と下カバー４０の側壁４２との間隔Ｗをもっと狭くしたり、殆ど接触状態で開閉させたりすることもできる。
【００１１】
【発明の効果】
以上本発明によれば、パッキン材等を用いずに簡単な構成で、下カバーと本体ケース側の上カバーとの間の密閉は保たれ、雨水の侵入を完全に防止できる。よって筐体の信頼性は高く、経済的でもある。
又本体ケースへ延設部を、下カバーにその延設部に端縁が密着する側板を設けることで、下カバーへ側板を設けた場合の側板と本体ケースとの防水は保たれ、上カバーにおいても延設部へ密着する側板を設ければ、上下カバー全てにおいて確実な防水が達成される。
更に突条を２本とし、突条間の間隔を広くすれば、必要最低限の形状で確実な防水効果が得られる。
【図面の簡単な説明】
【図１】筐体の説明図である。
【図２】上カバーと下カバー間の防水構造を示す説明図である。
【図３】本体ケースと下カバー間の防水構造を示す説明図である。
【符号の説明】
１・・筐体、２・・回路基板、３・・シールド板、４・・接栓、５・・回路ユニット、２０・・本体ケース、２１，２２・・側面、２３・・延設部、２４・・切欠き、２５・・ネジ止め部、２６・・ピン受部、２７・・第２ピン、２８・・切除部、３０・・上カバー、３１・・引掛片、３２・・側板、３３・・抜け止め片、４０・・下カバー、４１・・重合部、４２・・側壁、４３・・止めネジ、４４・・第１ピン、４５・・案内レール、４６・・ストッパー、４７，４８・・突条、４９・・薄肉部。
【図１】
0003681767.tif 000002
【図２】
0003681767.tif 000003
【図３】
0003681767.tif 000004